(57)【要約】【課題】  乗りかごに自動現金預け払い機(ＡＴＭ)を搭載し、乗客の移動と取引サービスとに兼用するエレベータにおいて、自動現金預け払い機利用者の取引の安全を確保しながら、他の利用予定者や移動目的の乗客とのトラブルを予防し、スムーズな乗り心地を実現する手段を備えたエレベータシステムを提供する。【解決手段】  乗りかご１にＡＴＭ５を搭載し乗客の移動と取引サービスとに兼用するエレベータシステムにおいて、各階乗り場９および乗りかご１内にＡＴＭ利用ボタン７，３を設置し、エレベータ制御手段１００が、ＡＴＭ利用ボタン７，３のいずれかが押されたか否かを判断する手段と、ＡＴＭ利用ボタン７，３が押されかつＡＴＭ利用者が乗りかご１内にいる場合に各階の乗りかご呼びボタン１０を無効とし、取引が完了するまで乗りかごドア４およびその階の乗り場ドア８を閉じたままにロックする手段とを備えたエレベータシステム。【選択図】        図１
2008204014.tif 000002
【特許請求の範囲】
【請求項１】
乗りかごに自動現金預け払い機を搭載し乗客の移動と取引サービスとに兼用するエレベータシステムにおいて、
各階乗り場および前記乗りかご内にＡＴＭ利用ボタンを設置し、
エレベータ制御手段が、前記ＡＴＭ利用ボタンのいずれかが押されたか否かを判断する手段と、前記ＡＴＭ利用ボタンが押されかつＡＴＭ利用者が前記乗りかご内にいる場合に各階の乗りかご呼びボタンを無効とし、取引が完了するまで乗りかごドアおよびその階の乗り場ドアを閉じたままにロックする手段とを備えたことを特徴とするエレベータシステム。
【請求項２】
請求項１に記載のエレベータシステムにおいて、
前記エレベータ制御手段が、前記ＡＴＭ利用ボタンが押されかつＡＴＭ利用者が前記乗りかご内にいる間は、各階乗り場の案内板に、通常の乗りかご位置表示の他に「取引中」と表示する手段を備えたことを特徴とするエレベータシステム。
【請求項３】
請求項１または２に記載のエレベータシステムにおいて、
前記エレベータ制御手段が、ＡＴＭ取引サービス提供中、いずれかの乗り場の前記ＡＴＭ利用ボタンまたは乗り場呼びボタンによるサービス要求があった時に、新たなＡＴＭ利用希望者または新たな乗客がいる旨を乗りかご内のＡＴＭ利用者に案内する手段を備えたことを特徴とするエレベータシステム。
【請求項４】
請求項１ないし３のいずれか一項に記載のエレベータシステムにおいて、
前記乗りかごドアおよび各階の前記乗り場ドアの少なくとも一部を透明素材で形成し、
前記エレベータ制御手段が、取引中のＡＴＭ利用者が非常ボタンを押した場合に、前記乗りかごを他の階に移動させる手段を備えたことを特徴とするエレベータシステム。
【請求項５】
請求項４に記載のエレベータシステムにおいて、
前記乗りかごを移動させる他の階が、最寄り階であることを特徴とするエレベータシステム。
【請求項６】
請求項４に記載のエレベータシステムにおいて、
前記乗りかごを移動させる他の階が、最も遠い階であることを特徴とするエレベータシステム。
【請求項７】
請求項１ないし６のいずれか一項に記載のエレベータシステムにおいて、
前記自動現金預け払い機の質量による前記乗りかごへの偏荷重を補償する駆動機構付きバランスウエイトを備え、
前記エレベータ制御手段が、乗り込んだ乗客の数または重量に応じて前記バランスウエイトを駆動し、前記自動現金預け払い機の質量および乗客の質量による前記乗りかごへの偏荷重を補償する手段を備えたことを特徴とするエレベータシステム。
【請求項８】
請求項１ないし７のいずれか一項に記載のエレベータシステムにおいて、
前記エレベータ制御手段が、取引中のＡＴＭ利用者が行先階ボタンを押した場合に、前記乗りかごをその行先階に移動させる手段を備えたことを特徴とするエレベータシステム。
【発明の詳細な説明】
【技術分野】
【０００１】
本発明は、エレベータシステムに係り、特に、自動現金預け払い機を搭載したエレベータにおいて利用者を保護する手段に関する。
【背景技術】
【０００２】
自動現金預け払い機 (ＡＴＭ：Automated Teller Machine) は、一般に、建物の床に固定して設置されている。
【０００３】
このようにいずれかの階の床に固定設置した場合、他の階にいる利用者は、自動現金預け払い機の設置階に移動しなければならない。特に、高層ビルでは、移動経路および時間が長くなり、利便性が悪い。
【０００４】
この問題を解決する従来技術として、自動現金預け払い機をエレベータの乗りかごに搭載し、利用者がいる階まで自動現金預け払い機を移動させ、エレベータ乗り場にいる利用者に取引サービスを提供する自動取引システムが提案されている(例えば、特許文献１参照)。この自動取引システムでは、利用者がエレベータ乗り場にいて、自動現金預け払い機を操作し、取引する。
【０００５】
【特許文献１】特開平５−１２５３７号(第２頁  図１〜図３)
【発明の開示】
【発明が解決しようとする課題】
【０００６】
しかし、特許文献１の自動現金預け払い機の利用者は、エレベータ乗り場の開放された空間で自動現金預け払い機を操作しなければならず、常に周囲に気を配りながら自動現金預け払い機を利用しても、犯罪を未然に防止することは困難である。
【０００７】
また、特許文献１の自動取引システムのエレベータは、自動現金預け払い機のみを搭載すればよいから、乗りかごを小形にできるものの、自動現金預け払い機専用エレベータは、乗客用エレベータの設置空間を奪うことになる。
【０００８】
そこで、乗りかごに自動現金預け払い機を搭載し、乗客の移動と取引サービスとに兼用するエレベータシステムが一応考えられる。この場合、利用者は、乗りかご内の閉じた空間で取引できることになる。
【０００９】
ところが、乗客の移動と取引サービスとに乗りかごを兼用しているので、取引の最中に不審者が閉じた空間に乗り込んで来るおそれがある。これと逆に、正常な乗客が、自動現金預け払い機の利用者から疑いの目で見られ、気分を害する状況にもなりかねない。
【００１０】
また、自動現金預け払い機を奥に搭載した乗りかごは、利用者または乗客がいない状態でバランスさせてあると、利用者または乗客が乗り込んで来たときに、人数によってはバランスがくずれ、乗り心地が悪化する場合もある。
【００１１】
さらに、自動現金預け払い機の利用者が時間を気にせず取引操作をしていると、待っている他の自動現金預け払い機利用予定者や単なる移動目的の乗客は、乗り場でいらいらすることになる。
【００１２】
本発明の課題は、乗りかごに自動現金預け払い機を搭載し、乗客の移動と取引サービスとに兼用するエレベータシステムにおいて、自動現金預け払い機利用者の取引の安全を確保しながら、他の利用予定者や移動目的の乗客とのトラブルを予防し、スムーズな乗り心地を実現する手段を備えたエレベータシステムを提供することである。
【課題を解決するための手段】
【００１３】
本発明は、上記課題を解決するために、乗りかごに自動現金預け払い機を搭載し乗客の移動と取引サービスとに兼用するエレベータシステムにおいて、各階乗り場および乗りかご内にＡＴＭ利用ボタンを設置し、エレベータ制御手段が、ＡＴＭ利用ボタンのいずれかが押されたか否かを判断する手段と、ＡＴＭ利用ボタンが押されかつＡＴＭ利用者が乗りかご内にいる場合に各階の乗りかご呼びボタンを無効とし、取引が完了するまで乗りかごドアおよびその階の乗り場ドアを閉じたままにロックする手段とを備えたエレベータシステムを提案する。
【００１４】
エレベータ制御手段は、ＡＴＭ利用ボタンが押されかつＡＴＭ利用者が乗りかご内にいる間は、各階乗り場の案内板に、通常の乗りかご位置表示の他に「取引中」と表示する手段を備える。
【００１５】
エレベータ制御手段は、ＡＴＭ取引サービス提供中、いずれかの乗り場のＡＴＭ利用ボタンまたは乗り場呼びボタンによるサービス要求があった時に、新たなＡＴＭ利用希望者または新たな乗客がいる旨を乗りかご内のＡＴＭ利用者に案内する手段を備える。
【００１６】
乗りかごドアおよび各階の乗り場ドアの少なくとも一部を透明素材で形成し、エレベータ制御手段が、取引中のＡＴＭ利用者が非常ボタンを押した場合に、乗りかごを最寄り階または最も遠い階に移動させる手段を備える。
【００１７】
自動現金預け払い機の質量による乗りかごへの偏荷重を補償する駆動機構付きバランスウエイトを備え、エレベータ制御手段が、乗り込んだ乗客の数または重量に応じてバランスウエイトを駆動し、自動現金預け払い機の質量および乗客の質量による乗りかごへの偏荷重を補償する手段を備えることもできる。
【００１８】
エレベータ制御手段は、取引中のＡＴＭ利用者が行先階ボタンを押した場合に、乗りかごをその行先階に移動させる手段を備えてもよい。
【発明の効果】
【００１９】
本発明において、ＡＴＭ利用者は、任意の階でＡＴＭを利用できるだけでなく、乗りかごに保護されている状態でＡＴＭを利用可能であり、ＡＴＭ取引中または取引完了後、一般のエレベータと同様に、所望の行先階への移動もできる。
【００２０】
ＡＴＭ取引中は、乗り場の案内板に、「取引中」と表示するとともに、新たなＡＴＭ利用希望者または新たな乗客がいる旨を乗りかご内の現在のＡＴＭ利用者に案内するので、待っている他の利用予定者や移動目的の乗客は、乗り場でいらいらすることが少なくなる。
【００２１】
移動目的の乗客は、ＡＴＭ取引がなされていないときは、一般のエレベータとして利用できる。
【００２２】
乗り込んだ乗客の数または重量に応じて、バランスウエイトを駆動し、自動現金預け払い機の質量および乗客の質量による乗りかごへの偏荷重を補償するので、乗りかごをスムーズに運転できる。
【発明を実施するための最良の形態】
【００２３】
次に、図１および図２を参照して、本発明によるエレベータシステムの実施例を説明する。
【００２４】
図１は、本発明によるエレベータシステムの一実施例の概略構成を示す乗り場正面図および側断面図である。
【００２５】
本実施例のエレベータシステムは、通常のエレベータと同様に、操作パネル２や乗りかごドア４を有しシャフト(走行路)内を上下する乗りかご１と、乗り場ドア８，乗りかごボタン１０，案内板１１を有する乗り場９と、エレベータ制御手段１００とからなる。なお、本発明の理解には必要がないので、エレベータ駆動機構などは表示していない。
【００２６】
本実施例では、このような基本構成に加えて、乗りかご１内に自動現金預け払い機(ＡＴＭ)５を搭載し、壁面にＡＴＭ利用ボタン３を設置し、乗り場９にもＡＴＭ利用ボタン７を設置してある。
【００２７】
ＡＴＭ利用中の非常時に押す防犯運転ボタンを増設することも考えられる。しかし、操作パネル２に既に設置してある非常ボタンと増設したＡＴＭ利用中の防犯運転ボタンとのどちらを押せばよいか乗客が迷うおそれもあり、また、移動目的の乗客によるが防犯運転ボタンの誤操作も予想されることから、操作パネル２に既に設置してある非常ボタンだけとし、ＡＴＭ利用中の防犯運転ボタンと兼用する。
【００２８】
乗りかご１の床下には、自動現金預け払い機５の質量による乗りかご１への偏荷重を補償するため、駆動機構付きバランスウエイト６を取り付けてある。バランスウエイト６の駆動機構を動作させるには、乗客の数または重量を検出する新たなセンサを設ける必要はなく、既存の乗り降りセンサや定員オーバーを検知するための重量センサを兼用すればよい。
【００２９】
防犯の観点から、乗りかご１の少なくとも一部を透明にして、乗りかご１内から乗り場９の状況を視認し不審者の有無を確認できる構造を採用している。究極的には、乗りかごドア４，乗りかご１の側壁，乗り場ドア８，シャフトの側壁のほとんどを透明素材で形成することも可能である。
【００３０】
図２は、本発明によるエレベータシステムのエレベータ制御手段１００における基本的制御手順を示すフローチャートである。
【００３１】
エレベータ制御手段１００は、乗りかご１の運転を開始し、ステップ２０では、乗り場９からの乗客の呼び出しの有無を判定する。ステップ２０で呼び出しがない場合は、ステップ４８に移り、乗客の呼び出しを待機し、バランスウエイト６はそのままとする。
【００３２】
ステップ２０で呼び出しがある場合は、ステップ２２に移り、乗りかご１内にＡＴＭ利用者がいるか否かを判断する。
【００３３】
乗りかご内にＡＴＭ利用者がいる場合には、ステップ２４で、新たなＡＴＭ利用希望者または新たな乗客がいる旨を乗りかご内の現在のＡＴＭ利用者に音声または表示で「次のお客様がお待ちです。」のように案内し、現在のＡＴＭ利用者に取引を手際よく進めるように促し、乗りかご１内にＡＴＭ利用者がいなくなるまで、ステップ２２とステップ２４の手順を繰り返す。
【００３４】
ステップ２２で乗りかご１内にＡＴＭ利用者がいない場合、または、現在のＡＴＭ利用者の取引が完了し乗りかご１から降りた場合は、ステップ２６で乗りかご１内の電源を遮断して省エネルギーモードとし、ステップ２８で、呼び出し階に乗りかご１を移動させる。ステップ３０で、呼び出し階に乗りかご１が到着したら、ステップ３２で、乗りかご１内の電源を投入し、照明に点灯する。
【００３５】
ステップ３４で、乗りかごドア４を開くとともに、乗り込んだ乗客の数または重量に応じて、バランスウエイト６を駆動し、自動現金預け払い機５の質量および乗客の質量による乗りかご１への偏荷重を補償する。
【００３６】
ステップ３６では、乗り込んだ乗客が、乗り場９でＡＴＭ利用ボタン７を既に押して来たか乗りかご１内のＡＴＭ利用ボタン３を押したかを判断する。
【００３７】
ＡＴＭ利用ボタン７，ＡＴＭ利用ボタン３のいずれも押していない場合は、移動のために乗りかご１に入った可能性が大きいので、ステップ３８で、操作パネル２の行先階ボタンが押されたか否かを判断する。押された場合は、ステップ４０で、行先階まで運転し、ステップ４２で、行先階に到着したら、ステップ４４で、乗りかごドア４およびその階の乗り場ドア８を開く。
【００３８】
ステップ４６で、利用者が乗りかご１外に出たか否かを判断する。乗りかご１外に出たら、ステップ４８では、その階で待機し、バランスウエイト６を駆動し、自動現金預け払い機５の質量による乗りかご１への偏荷重を補償する状態に復帰する。
【００３９】
なお、ステップ３８で、操作パネル２の行先階ボタンが押されない場合は、ＡＴＭ利用も他階への移動も中止したと判断して、ステップ４６に移り、利用者が乗りかご１外に出たか否かを判断する。乗りかご１外に出たら、ステップ４８では、その階で待機し、バランスウエイト６を駆動し、自動現金預け払い機５の質量による乗りかご１への偏荷重を補償する状態に復帰する。
【００４０】
一方、ステップ３６で、ＡＴＭ利用ボタン７，ＡＴＭ利用ボタン３のいずれかが押されたと判断した場合、ステップ５０で、乗り場９の案内板(乗り場表示器)１１に、通常の乗りかご位置表示の他に「取引中」と表示する。
【００４１】
ステップ５２で、乗りかご呼びボタン１０を無効とし、乗りかごドア４およびその階の乗り場ドア８を閉じたままにロックし、取引が完了するまで乗り場９から乗り場ドア８および乗りかごドア４を開けられないようにする。ステップ５４で、ＡＴＭサービスを提供する。
【００４２】
ステップ５６では、現在のＡＴＭ利用者が取引を完了し、乗りかご１内の操作パネル２のドア開ボタンを押したか否かを判断する。ドア開ボタンを押した場合は、ステップ５８で、乗りかごドア４およびその階の乗り場ドア８を開き、ステップ４６にジャンプする。
【００４３】
ステップ４６で、利用者が乗りかご１外に出たか否かを判断する。乗りかご１外に出たら、ステップ４８では、その階で待機し、バランスウエイト６を駆動し、自動現金預け払い機５の質量による乗りかご１への偏荷重を補償する状態に復帰する。
【００４４】
ステップ５６で、現在のＡＴＭ利用者が取引を完了していない場合は、ステップ６０で、操作パネル２の防犯運転ボタン、すなわち、非常ボタンが押されたか否かを判断する。
【００４５】
ステップ６０で、操作パネル２の非常ボタンが押された場合は、乗りかご１の内外いずれかに不審者が居るなどの異常事態が発生したと推定し、警備室に通報する。それとともに、ステップ６２で、乗りかご１を最寄り階に移動させ、乗りかご１内の操作パネル２のドア開ボタンを押したか否かを判断するステップ５６に戻り、ＡＴＭ利用者が適切なタイミングで乗りかご１の外に脱出できるように支援する。
【００４６】
なお、ここでは乗りかご１を最寄り階に移動させる方式としたが、乗りかご１外の不審者から遠ざけて脱出の時間を確保するには、現在の階から最も離れた階に移動させる方式を採用してもよい。
【００４７】
ＡＴＭ取引が終わっても、ステップ５６で、操作パネルのドア開ボタンが押されず、ステップ６０で、操作パネル２の非常ボタンも押されない場合は、そのまま他の階に移動したいのだろうと推察し、ステップ３８にジャンプする。
【００４８】
ステップ３８では、操作パネル２の行先階ボタンが押されたか否かを判断する。押された場合は、ステップ４０で、行先階まで運転し、ステップ４２で、行先階に到着したら、ステップ４４で、乗りかごドア４およびその階の乗り場ドア８を開く。
【００４９】
ステップ４６で、利用者が乗りかご１外に出たか否かを判断する。乗りかご１外に出たら、ステップ４８では、その階で待機し、バランスウエイト６を駆動し、自動現金預け払い機５の質量による乗りかご１への偏荷重を補償する状態に復帰する。
【００５０】
本実施例のエレベータシステムによれば、ＡＴＭ利用者は、任意の階でＡＴＭを利用できるだけでなく、乗りかごに保護されている状態でＡＴＭを利用可能である。ＡＴＭ利用者は、ＡＴＭ取引中または取引完了後、一般のエレベータと同様に、所望の行先階への移動もできる。
【００５１】
ＡＴＭ取引中は、乗り場９の案内板(乗り場表示器)１１に、「取引中」と表示するとともに、新たなＡＴＭ利用希望者または新たな乗客がいる旨を乗りかご内の現在のＡＴＭ利用者に音声または表示で案内するので、待っている他の利用予定者や移動目的の乗客は、乗り場でいらいらすることが少なくなる。
【００５２】
さらに、移動目的の乗客は、ＡＴＭ取引がなされていないときは、一般のエレベータとして利用できる。
【００５３】
いずれの場合も、乗り込んだ乗客の数または重量に応じて、バランスウエイト６を駆動し、自動現金預け払い機５の質量および乗客の質量による乗りかご１への偏荷重を補償する結果、乗りかご１をスムーズに運転できる。
【図面の簡単な説明】
【００５４】
【図１】本発明によるエレベータシステムの一実施例の概略構成を示す乗り場正面図および側断面図である。
【図２】本発明によるエレベータシステムのエレベータ制御手段における基本的制御手順を示すフローチャートである。
【符号の説明】
【００５５】
１  乗りかご
２  操作パネル
３  ＡＴＭ利用ボタン
４  乗りかごドア
５  自動現金預け払い機(ＡＴＭ)
６  駆動機構付きバランスウエイト
７  ＡＴＭ利用ボタン
８  乗り場ドア
９  乗り場
１０  乗りかご呼びボタン
１１  案内板
【図１】
2008204014.tif 000003
【図２】
2008204014.tif 000004